(57)【要約】【課題】循環不良や熱媒漏れを防止できる適切なタイミングでエア抜き運転を行うことができる熱媒供給設備の提供。【解決手段】加熱した熱媒を熱媒循環路２を通して端末に供給する熱源機３が、加熱していない熱媒を熱媒循環路２を通して端末１に供給するエア抜き運転を行うように構成され、熱源機３の運転を制御する制御手段４が設けられ、制御手段４が、エア抜き用時間が経過するごとに、エア抜き運転を実行するように構成され、熱源機３と端末１との設置条件に応じてエア抜き用時間を変更設定する手動操作式のエア抜き用時間変更設定手段が設けられている。【選択図】        図１
2004293926.tif 000002
【特許請求の範囲】
【請求項１】
加熱した熱媒を熱媒循環路を通して端末に供給する熱源機が、加熱していない熱媒を前記熱媒循環路を通して前記端末に供給するエア抜き運転を行うように構成され、前記熱源機の運転を制御する制御手段が設けられ、
前記制御手段が、エア抜き用時間が経過するごとに、前記エア抜き運転を実行するように構成されている熱媒供給設備であって、
前記熱源機と前記端末との設置条件に応じて前記エア抜き用時間を変更設定する手動操作式のエア抜き用時間変更設定手段が設けられている熱媒供給設備。
【請求項２】
加熱した熱媒を熱媒循環路を通して端末に供給する熱源機が、加熱していない熱媒を前記熱媒循環路を通して前記端末に供給するエア抜き運転を行うように構成され、前記熱源機の運転を制御する制御手段が設けられ、
前記制御手段が、エア抜き用時間が経過するごとに、前記エア抜き運転を実行するように構成されている熱媒供給設備であって、
前記制御手段が、前記熱源機と前記端末との設置条件に応じて前記エア抜き用時間を設定するように構成されている熱媒供給設備。
【請求項３】
前記制御手段は、設置される前記端末の数が多いほど前記エア抜き用時間を短く設定するように構成されている請求項２に記載の熱媒供給設備。
【請求項４】
前記制御手段は、前記熱源機の設置位置よりも前記端末の設置位置の方が高くなるほど前記エア抜き用時間を短く設定するように構成されている請求項２または３に記載の熱媒供給設備。
【請求項５】
加熱した熱媒を熱媒循環路を通して端末に供給する熱源機が、加熱していない熱媒を前記熱媒循環路を通して前記端末に供給するエア抜き運転を行うように構成され、前記熱源機の運転を制御する制御手段が設けられ、
前記制御手段が、エア抜き用時間が経過するごとに、前記エア抜き運転を実行するように構成されている熱媒供給設備であって、
前記熱源機は、膨張タンクに貯留されている熱媒を前記熱媒循環路を通して前記膨張タンクと前記端末との間で循環供給するように構成され、
前記制御手段は、前記膨張タンクの熱媒の貯留量が上限設定量以上となる多量状態を検出するたびに、前記エア抜き用時間が短くなるように設定するように構成されている熱媒供給設備。
【発明の詳細な説明】
【０００１】
【発明の属する技術分野】
本発明は、加熱した熱媒を熱媒循環路を通して端末に供給する熱源機が、加熱していない熱媒を前記熱媒循環路を通して前記端末に供給するエア抜き運転を行うように構成され、前記熱源機の運転を制御する制御手段が設けられ、前記制御手段が、エア抜き用時間が経過するごとに、前記エア抜き運転を実行するように構成されている熱媒供給設備に関する。
【０００２】
【従来の技術】
上記のような熱媒供給設備では、リモコンなどからの運転要求により制御手段が熱源機を運転させて、加熱した熱媒を床暖房装置や浴室暖房乾燥装置などの端末に供給し、制御手段が、エア抜き用時間が経過するごとに、エア抜き運転を行うことによって、熱媒循環経路中に入り込んだ空気を抜くようにしているものである。
【０００３】
そして、上記のような熱媒供給設備では、制御手段が、エア抜き用時間が経過するごとに、エア抜き運転を行って、熱媒循環経路中に入り込んだ空気を抜くことにより、熱媒循環経路中に入り込んだ空気の量が多量となって、熱媒を適正に循環できない循環不良が生じることを防止したり、熱媒循環経路中に入り込んだ空気の量だけ熱源機に備えられる大気開放式の膨張タンクでの熱媒の貯留量が増加して、膨張タンクから熱媒が溢れる熱媒漏れが生じることを防止するようにしている。
【０００４】
従来の熱媒供給設備では、制御手段が、一定のエア抜き用時間（例えば、７２０時間）が経過するごとに、エア抜き運転を行うようにしていた（例えば、特許文献１参照。）。
【０００５】
【特許文献１】
特開２００２−１６２０５１号公報
【０００６】
【発明が解決しようとする課題】
しかしながら、上記従来の熱媒供給設備では、制御手段が、一定のエア抜き用時間が経過するごとに、エア抜き運転を行っているので、循環不良や熱媒漏れを防止できる適切なタイミングでエア抜き運転を行うことができない虞があった。
【０００７】
説明を加えると、例えば、熱源機を１階に、端末を２階に設置して、熱源機の設置位置よりも高い位置に端末を設置した場合には、熱源機の設置位置よりも端末の設置位置の方が高いので、端末から熱源機への熱媒循環経路中が負圧状態となり、その負圧状態によって熱媒循環経路中に空気が入り込みやすいものとなる。
したがって、熱源機の設置位置よりも高い位置に端末を設置した場合には、例えば、熱源機の設置位置と端末の設置位置とをともに１階に設置して、熱源機の設置位置と端末の設置位置とをほぼ同じ高さに設置した場合に比べて、熱媒循環経路中に入り込んだ空気の量が多量となるまでの時間が短く、循環不良や熱媒漏れが発生するまでの時間が短くなる虞がある。
【０００８】
また、端末の設置台数が多くなれば、それだけ端末と熱源機との熱媒循環路の本数が増えるので、空気が入り込む可能性のある部分が増えて、熱媒循環経路中に入り込んだ空気の量が多量となるまでの時間が短く、循環不良や熱媒漏れが発生するまでの時間が短くなる。
【０００９】
しかしながら、上記従来の熱媒供給設備では、エア抜き用時間を一定としているので、エア抜き用時間を短く設定すると、未だ循環不良や熱媒漏れが発生しないときに、エア抜き運転が行われ、逆に、エア抜き用時間を長く設定すると、循環不良や熱媒漏れが発生したのち、エア抜き運転が行われることになり、循環不良や熱媒漏れを防止できる適切なタイミングでエア抜き運転を行うことができないことになる。
【００１０】
本発明は、かかる点に着目してなされたものであり、その目的は、循環不良や熱媒漏れを防止できる適切なタイミングでエア抜き運転を行うことができる熱媒供給設備を提供する点にある。
【００１１】
【課題を解決するための手段】
この目的を達成するために、加熱した熱媒を熱媒循環路を通して端末に供給する熱源機が、加熱していない熱媒を前記熱媒循環路を通して前記端末に供給するエア抜き運転を行うように構成され、前記熱源機の運転を制御する制御手段が設けられ、前記制御手段が、エア抜き用時間が経過するごとに、前記エア抜き運転を実行するように構成されている熱媒供給設備において、
前記熱源機と前記端末との設置条件に応じて前記エア抜き用時間を変更設定する手動操作式のエア抜き用時間変更設定手段が設けられている。
【００１２】
すなわち、エア抜き用時間変更設定手段にて熱源機と端末との設置条件に応じてエア抜き用時間を変更設定することができるので、例えば、熱源機の設置位置よりも高い位置に端末を設置した場合には、熱源機の設置位置と端末の設置位置とをほぼ同じ高さに設置した場合に比べて、エア抜き用時間を短く設定することができることになる。
したがって、熱源機と端末との設置条件に応じて、循環不良や熱媒漏れを防止できる適切な時間が異なっても、エア抜き用時間変更設定手段にて熱源機と端末との設置条件に応じた適切な時間をエア抜き用時間として設定することができることになる。
そして、制御手段は、エア抜き用時間変更設定手段にて設定されたエア抜き用時間が経過するごとに、エア抜き運転を実行するので、熱源機と端末との設置条件に応じた適切なタイミングにてエア抜き運転を行うことができることになる。
【００１３】
以上のことから、熱源機と端末との設置条件に応じて、循環不良や熱媒漏れを防止できる適切なタイミングが異なっても、その熱源機と端末との設置条件に適したタイミングにてエア抜き運転を行うことができることとなって、循環不良や熱媒漏れを防止できる適切なタイミングでエア抜き運転を行うことができる熱媒供給設備を提供できるに至った。
【００１４】
請求項２に記載の発明によれば、加熱した熱媒を熱媒循環路を通して端末に供給する熱源機が、加熱していない熱媒を前記熱媒循環路を通して前記端末に供給するエア抜き運転を行うように構成され、前記熱源機の運転を制御する制御手段が設けられ、前記制御手段が、エア抜き用時間が経過するごとに、前記エア抜き運転を実行するように構成されている熱媒供給設備において、
前記制御手段が、前記熱源機と前記端末との設置条件に応じて前記エア抜き用時間を設定するように構成されている。
【００１５】
すなわち、制御手段が、熱源機と端末との設置条件に応じてエア抜き用時間を設定するので、例えば、端末の設置台数が多いほど、エア抜き用時間を短く設定することができることになる。
したがって、熱源機と端末との設置条件に応じて、循環不良や熱媒漏れを防止できる適切な時間が異なっても、熱源機と端末との設置条件に応じた適切な時間をエア抜き用時間として自動的に設定することができることになる。
そして、制御手段は、自動的に設定されたエア抜き用時間が経過するごとに、エア抜き運転を実行するので、熱源機と端末との設置条件に応じた適切なタイミングにてエア抜き運転を行うことができることになる。
【００１６】
以上のことから、熱源機と端末との設置条件に応じて、循環不良や熱媒漏れを防止できる適切なタイミングが異なっても、その熱源機と端末との設置条件に適したタイミングにてエア抜き運転を行うことができることとなって、循環不良や熱媒漏れを防止できる適切なタイミングでエア抜き運転を行うことができる熱媒供給設備を提供できるに至った。
【００１７】
請求項３に記載の発明によれば、前記制御手段は、設置される前記端末の数が多いほど前記エア抜き用時間を短く設定するように構成されている。
【００１８】
すなわち、請求項２の発明において例示した如く、制御手段が、端末の設置台数が多いほど、エア抜き用時間を短く設定するので、端末の設置台数に適したタイミングにてエア抜き運転を行うことができることになる。
したがって、端末の設置台数の増減にかかわらず、循環不良や熱媒漏れを防止できる適切なタイミングでエア抜き運転を行うことができることになる。
【００１９】
請求項４に記載の発明によれば、前記制御手段は、前記熱源機の設置位置よりも前記端末の設置位置の方が高くなるほど前記エア抜き用時間を短く設定するように構成されている。
【００２０】
すなわち、制御手段が、熱源機の設置位置よりも端末の設置位置の方が高くなるほど、エア抜き用時間を短く設定するので、循環不良や熱媒漏れを防止するために、熱源機と端末との設置位置の関係に適した時間をエア抜き用時間として自動的に設定することができることになる。
したがって、熱源機と端末との設置位置の関係にかかわらず、循環不良や熱媒漏れを防止できる適切なタイミングでエア抜き運転を行うことができることになる。
【００２１】
請求項５に記載の発明によれば、加熱した熱媒を熱媒循環路を通して端末に供給する熱源機が、加熱していない熱媒を前記熱媒循環路を通して前記端末に供給するエア抜き運転を行うように構成され、前記熱源機の運転を制御する制御手段が設けられ、前記制御手段が、エア抜き用時間が経過するごとに、前記エア抜き運転を実行するように構成されている熱媒供給設備において、
前記熱源機は、膨張タンクに貯留されている熱媒を前記熱媒循環路を通して前記膨張タンクと前記端末との間で循環供給するように構成され、前記制御手段は、前記膨張タンクの熱媒の貯留量が上限設定量以上となる多量状態を検出するたびに、前記エア抜き用時間が短くなるように設定するように構成されている。
【００２２】
すなわち、熱源機が、膨張タンクに貯留されている熱媒を熱媒循環路を通して膨張タンクと端末との間で循環供給するように構成されているので、熱媒循環経路中に空気が入り込むと、膨張タンクの熱媒の貯留量が増加して、膨張タンクの熱媒の貯留量が上限設定量以上となる多量状態となって循環不良や熱媒漏れが発生することになる。
そして、制御手段は、多量状態を検出するたびに、エア抜き用時間が短くなるように設定するので、多量状態となって循環不良や熱媒漏れが発生した場合であっても、多量状態の検出によって、エア抜き用時間が短くなるように設定される。
したがって、たとえ、循環不良や熱媒漏れが発生した場合であっても、その後には、循環不良や熱媒漏れを防止できる適切な時間をエア抜き用時間として設定することができることになる。
【００２３】
以上のことから、循環不良や熱媒漏れが発生した場合であっても、その後には、循環不良や熱媒漏れを防止できる適切なタイミングでエア抜き運転を行うことができることとなって、循環不良や熱媒漏れを防止できる適切なタイミングでエア抜き運転を行うことができる熱媒供給設備を提供できるに至った。
【００２４】
【発明の実施の形態】
本発明にかかる熱媒供給設備を図面に基づいて説明する。
〔第１実施形態〕
この熱媒供給設備は、図１および図２に示すように、床暖房装置や浴室暖房乾燥装置などの複数の暖房用の端末１、それら複数の端末１に熱媒を熱媒循環路２を通して供給する熱源機３、その熱源機３の運転を制御する制御手段としての制御部４、各端末１に対応して設けられて制御部４と通信自在なリモコン５などを備えて構成されている。
【００２５】
そして、この実施形態では、端末１が、第１端末１ａ、第２端末１ｂ、第３端末１ｃの３つから構成され、リモコン５も、第１端末１ａに対応する第１リモコン５ａ、第２端末１ｂに対応する第２リモコン５ｂ、第３端末１ｃに対応する第３リモコン５ｃから構成されている。
また、この実施形態では、第１端末１ａが２階に設置され、第２端末１ｂおよび第３端末１ｃが１階に設置され、熱源機３が１階に設置されている。
【００２６】
前記熱源機３は、熱源機内流路６の途中に、熱源機内流路６における熱媒を貯留する大気開放式の膨張タンク７、端末１に熱媒を循環供給させるための循環ポンプ８、熱源機内流路６を通流する熱媒をバーナ９の燃焼により加熱させる熱交換器１０などを設けて、バーナ９に燃焼用空気を供給するファン１１などを備えて構成されている。
そして、バーナ９に燃料ガスを供給する燃料供給路１２には、燃料ガスの供給を断続する燃料ガス開閉弁１３、燃料ガス供給量を調整する燃料ガス調整弁１４が設けられ、バーナ９に点火するイグナイタ１５およびバーナ９の着火を確認するフレームロッド１６なども設けられている。
【００２７】
また、膨張タンク７には、貯留している熱媒の水位の上限を検出する上限センサ２３および下限を検出する下限センサ２４が設けられ、膨張タンク７に給水するためのタンク給水路２５が接続され、そのタンク給水路２５には、補給水電磁弁２６が設けられている。
そして、下限センサ２４にて熱媒の水位が下限となると、上限センサ２３にて熱媒の水位が上限となるまで補給水電磁弁２６を開弁させて、膨張タンク７へ熱媒を補給するように構成されている。
【００２８】
前記熱源機内流路６における膨張タンク７よりも熱媒循環方向の上流側には、その熱媒の温度を検出する戻りサーミスタ１７が設けられ、熱源機内流路６における熱交換器１０よりも熱媒循環方向の下流側には、その熱媒の温度を検出する往きサーミスタ１８が設けられ、熱源機内流路６において、戻りサーミスタ１７の配設箇所よりも熱媒循環方向の上流側と往きサーミスタ１８の配設箇所よりも熱媒循環方向の下流側とがバイパス路１９にて接続されている。
【００２９】
前記熱媒循環路２は、往き側流路２ａと戻り側流路２ｂとから構成され、複数の端末１ａ〜１ｃの夫々に対して、往き側流路２ａと戻り側流路２ｂとが接続されている。
そして、熱源機３の熱源機内流路６は、その熱媒往き側が、ヘッダー２０により、複数の往き側流路２ａに分岐接続され、その熱媒戻し側が、ヘッダー２０により、複数の戻り側流路２ｂに合流接続され、複数の往き側流路１ａの夫々には、熱動弁２１が設けられている。
前記熱源機３は、複数の熱動弁２１を各別に開閉することにより、複数の端末１ａ〜１ｃへ各別に熱媒を供給できるように構成されている。
【００３０】
前記熱源機３は、バーナ９の燃焼により熱媒を加熱する加熱状態にて熱媒を熱媒循環路２を通して端末１に供給する熱媒供給運転と、バーナ９を燃焼させずに熱媒を加熱しない非加熱状態にて熱媒を熱媒循環路２を通して端末１に熱媒を供給するエア抜き運転とを実行可能に構成されている。
【００３１】
前記制御部４と複数の端末１ａ〜１ｃに対応して設けられた各リモコン５ａ〜５ｃとは、端末１の運転開始や運転停止などの制御情報などを通信自在に構成されている。
そして、制御部４は、リモコン５からの指令に基づいて、複数の端末１ａ〜１ｃに対して、熱媒供給運転を各別に行うとともに、エア抜き用時間が経過するごとに、エア抜き運転を行うように構成されている。
ちなみに、制御部４は、前回エア抜き運転を行ってからエア抜き用時間が経過したときに、熱媒供給運転中であると、その熱媒供給運転が終了したのち、エア抜き運転を行うように構成されている。
【００３２】
前記熱媒供給運転について説明すると、制御部４は、リモコン５から端末１の運転開始が指令されると、熱源機３の運転を開始させて、そのリモコン５に対応する端末１に対して熱媒供給運転を行い、あらたに他のリモコン５から端末１の運転開始が指令されると、そのリモコン５に対応する端末１に対しても熱媒供給運転を行うように構成されている。
そして、制御部４は、端末１の運転開始を指令したリモコン５のうち、運転停止を指令していないリモコン５があるときには、熱源機３の運転を継続させたまま、そのリモコン５に対応する端末１に対して熱媒供給運転を行い、端末１の運転開始を指令したリモコン５のすべてから端末１の運転停止が指令されると、熱源機３の運転を停止させるように構成されている。
【００３３】
前記熱媒供給運転における熱源機３の運転について説明を加えると、まず、ファン１１を作動させて、燃料ガス開閉弁１３および燃料ガス調整弁１４を開弁させてバーナ９の燃焼を開始するとともに、循環ポンプ８を作動させて、熱源機３の運転を開始し、バーナ９の燃焼により加熱した熱媒を、熱媒供給運転の対象となっている端末１に対して供給するように、熱動弁２１の開閉を制御するようにしている。
そして、熱媒供給運転を終了するときには、燃料ガス開閉弁１３および燃料ガス調整弁１４を閉弁させてバーナ９の燃焼を停止したのち、ファン１１の作動を停止させるとともに、すべての熱動弁２１を閉弁させ、循環ポンプ８の作動を停止させて、熱源機３の運転を停止するようにしている。
【００３４】
前記エア抜き運転について説明すると、循環ポンプ８のみを作動させて、バーナ９を燃焼させずに、熱源機３の運転を開始し、すべての熱動弁２１を開弁させて、バーナ９を燃焼させずに加熱していない熱媒を、すべての端末１に対して供給するようにしている。
そして、循環ポンプ８を作動させてからエア抜き運転用設定時間（例えば、５〜１０分）が経過すると、すべての熱動弁２１を閉弁させ、循環ポンプ８の作動を停止させて、熱源機３の運転を停止して、エア抜き運転を終了するようにしている。
【００３５】
前記エア抜き用時間について説明を加えると、熱源機３と端末１との設置条件に応じてエア抜き用時間を変更設定する手動操作式のエア抜き用時間変更設定手段としてのディップスイッチ２２が設けられている。
そして、エア抜き用時間は、ディップスイッチ２２によって、例えば、７２０時間、６００時間、５４０時間、４８０時間の４段階に設定可能であり、熱源機３と端末１との設置条件として、熱源機３と端末１との設置位置との高低および端末１の設置台数に応じて、ディップスイッチ２２にて４段階の時間のいずれかをエア抜き用時間に設定するようにしている。
【００３６】
熱源機３と端末１との設置条件とエア抜き用時間との関係について一例を挙げて説明すると、熱源機３と端末１との設置位置がほぼ同じ高さでかつ端末１の設置台数が３台までの場合は、エア抜き用時間を７２０時間と設定し、熱源機３と端末１との設置位置が熱源機３よりも端末１の方が高くかつ端末１の設置台数が３台までの場合は、エア抜き用時間を６００時間と設定する。
また、端末１の設置台数が４台以上の場合は、エア抜き用時間を５４０時間と設定し、熱源機３と端末１との設置位置が熱源機３よりも端末１の方が高くかつ端末１の設置台数が４台以上の場合は、エア抜き用時間を４８０時間と設定する。
【００３７】
そして、この実施形態では、第１端末１ａが２階に設置され、熱源機３が１階に設置され、熱源機３と端末１との設置位置が熱源機３よりも端末１の方が高く、端末１の設置台数が３台であるので、熱源機３と端末１との設置位置が熱源機３よりも端末１の方が高くかつ端末１の設置台数が３台までの場合となり、ディップスイッチ２２にてエア抜き用時間を６００時間と設定している。
【００３８】
また、制御部４は、膨張タンク７の熱媒の貯留量が上限設定量以上となる多量状態を検出するたびに、エア抜き用時間が短くなるように設定するように構成されている。
【００３９】
多量状態の検出について説明を加えると、膨張タンク７の熱媒の貯留量が増加すると、多量状態となって膨張タンク７から熱媒が漏れる熱媒漏れが発生するので、その後、膨張タンク７の熱媒の水位が下降し、下限センサ２４にて熱媒の水位が下限となる。
したがって、制御部４は、下限センサ２４にて熱媒の水位が下限となるのを検出すると、補給水電磁弁２６を開弁させて、膨張タンク７へ熱媒を補給することになる。
以上の如く、多量状態となって熱媒漏れが発生したのちには、膨張タンク７への熱媒の補給が行われるので、制御部４は、膨張タンク７への熱媒の補給を行われたことを検出することによって、多量状態を検出するように構成されている。
【００４０】
エア抜き用時間の設定について説明を加えると、制御部４は、前回膨張タンク７への熱媒の補給を行ってから漏れ用設定時間（例えば、３００時間）以上でかつ正常用設定時間（例えば、７２０時間）未満であれば、膨張タンク７への熱媒の補給を行うたびに、エア抜き用時間を設定時間（例えば、６０時間）短くなるように変更設定するように構成されている。
ちなみに、エア抜き用時間の下限を、例えば、３００時間としており、膨張タンク７への熱媒の補給が行われても、エア抜き用時間を３００時間未満には変更設定しないように構成されている。
【００４１】
すなわち、制御部４は、熱媒循環経路中への空気の入り込みにより膨張タンク７への熱媒の補給を行った場合を対象として、その膨張タンク７への熱媒の補給を行うたびに、エア抜き用時間を設定時間（例えば、６０時間）短くなるように変更設定するように構成されている。
【００４２】
説明を加えると、膨張タンク７への熱媒の補給を行う場合としては、熱媒循環経路中への空気の入り込み以外に、熱媒循環路２での漏れ異常が発生した場合や、異常は発生していないが、熱媒の蒸発などによって熱媒の貯留量が減少した場合がある。
熱媒循環路２での漏れ異常が発生した場合には、前回膨張タンク７への熱媒の補給を行ってから漏れ用設定時間（例えば、３００時間）までに、膨張タンク７への熱媒の補給が行われることになる。
また、異常は発生していないが、熱媒の蒸発などによって熱媒の貯留量が減少した場合には、前回膨張タンク７への熱媒の補給を行ってから正常用設定時間（例えば、７２０時間）以上が経過したのち、膨張タンク７への熱媒の補給が行われることになる。
【００４３】
したがって、前回膨張タンク７への熱媒の補給を行ってから漏れ用設定時間（例えば、３００時間）以上でかつ正常用設定時間（例えば、７２０時間）未満に、膨張タンク７への熱媒の補給が行われると、熱媒循環経路中への空気の入り込みの場合と特定することができるので、制御部４は、その膨張タンク７への熱媒の補給を対象として、膨張タンク７への熱媒の補給を行うたびに、エア抜き用時間が短くなるように変更設定するように構成されている。
【００４４】
前記制御部４のエア抜き運転についての制御動作を、図３のフローチャートに基づいて説明を加える。
まず、制御部４は、ディップスイッチ２２の設定によって、エア抜き用時間を初期設定し、エア抜き用時間が経過すると、エア抜き運転を行う（ステップ１〜３）。
また、エア抜き運転を一度でも行っていると、前回エア抜き運転を行ってからエア抜き用時間が経過すると、エア抜き運転を行う（ステップ２）
【００４５】
そして、補給水電磁弁２６を開弁させて膨張タンク７への熱媒の補給を行われたことが検出されて、多量状態を検出すると、前回膨張タンク７への熱媒の補給を行ってから漏れ用設定時間（例えば、３００時間）以上でかつ正常用設定時間（例えば、７２０時間）未満であれば、エア抜き用時間を設定時間（例えば、６０時間）短く更新設定する（ステップ５，６）。
【００４６】
〔第２実施形態〕
この第２実施形態は、上記第１実施形態におけるエア抜き用時間の設定についての別実施形態であるので、その点を中心に説明する。
ちなみに、その他の構成については、上記第１実施形態と同様であるので、同符号を記すなどによって、その詳細な説明は省略する。
【００４７】
上記第１実施形態では、熱源機３と端末１との設置条件に応じて、ディップスイッチ２２にてエア抜き用時間を設定するように構成しているが、この構成に代えて、第２実施形態では、制御部４が、熱源機３と端末１との設置条件に応じてエア抜き用時間を設定するように構成されている。
そして、制御部４は、設置される端末１の数が多いほどエア抜き用時間を短く設定するように構成され、また、熱源機３の設置位置よりも端末１の設置位置の方が高くなるほどエア抜き用時間を短く設定するように構成されている。
【００４８】
説明を加えると、制御部４は、熱源機３と端末１との設置条件に応じて、エア抜き用時間を、例えば、７２０時間、６００時間、５４０時間、４８０時間の４段階に自動的に設定可能に構成されている。
一例を挙げて説明すると、制御部４は、熱源機３と端末１との設置位置がほぼ同じ高さでかつ端末１の設置台数が３台までの場合は、エア抜き用時間を７２０時間と設定し、熱源機３と端末１との設置位置が熱源機３よりも端末１の方が高くかつ端末１の設置台数が３台までの場合は、エア抜き用時間を６００時間と設定する。
また、制御部４は、端末１の設置台数が４台以上の場合は、エア抜き用時間を５４０時間と設定し、熱源機３と端末１との設置位置が熱源機３よりも端末１の方が高くかつ端末１の設置台数が４台以上の場合は、エア抜き用時間を４８０時間と設定する。
【００４９】
この実施形態では、第１端末１ａが２階に設置され、第２端末１ｂおよび第３端末１ｃが１階に設置され、熱源機３が１階に設置され、熱源機３と端末１との設置位置が熱源機３よりも端末１の方が高く、端末１の設置台数が３台であるので、熱源機３と端末１との設置位置が熱源機３よりも端末１の方が高くかつ端末１の設置台数が３台までの場合となり、エア抜き用時間が６００時間に自動的に設定される。
【００５０】
ちなみに、端末１の設置台数については、例えば、制御部４が、機器が設置された当初に、リモコン５と通信することによって、端末１の設置台数を判別することができ、熱源機３と端末１との設置位置の高低については、例えば、制御部４が、機器が設置された当初に、膨張タンク７内の水を熱媒循環路２に張るときにかかる時間や人為的な入力に基づいて、熱源機３と端末１との設置位置との高低を判別することができる。
【００５１】
前記制御部４のエア抜き運転についての制御動作について説明を加えるが、図３のフローチャートにおいて、ステップ１における初期設定の動作のみ異なるので、その点のみを説明し、その他の制御動作については説明を省略する。
すなわち、この第２実施形態では、図３のステップ１において、制御部４が、熱源機３と端末１との設置条件に応じてエア抜き用時間を初期設定する。
【００５２】
〔別実施形態〕
（１）上記第１および第２実施形態では、熱源機３と端末１との設置条件に応じて人為的にまたは自動的にエア抜き用時間を初期設定するようにしているが、例えば、７２０時間の初期設定時間をエア抜き用時間と初期設定するように構成して実施することも可能である。
【００５３】
（２）上記第１および第２実施形態では、熱源機３と端末１との設置条件として、熱源機３と端末１との設置位置の高低の条件と端末１の設置台数の条件を例示したが、熱源機３と端末１との設置条件としては、熱源機３と端末１との設置位置の高低の条件や端末１の設置台数の条件の他に、熱媒循環路２の長さの条件を含めたり、逆に、熱源機３と端末１との設置位置の高低の条件のみとすることが可能である。
すなわち、熱源機３と端末１との設置条件としては、各種の条件が適応可能であり、その条件の数や条件の内容は適宜変更が可能である。
【００５４】
例えば、熱源機３と端末１との設置位置の高低の条件のみを熱源機３と端末１との設置条件とした場合には、熱源機３と端末１との設置位置がほぼ同じであると、７２０時間をエア抜き用時間と設定し、熱源機３と端末１との設置位置が熱源機３よりも端末１の方が高いならば、６００時間をエア抜き用時間と設定して実施することができる。
【００５５】
（３）上記第１および第２実施形態では、制御部４が、多量状態を検出するたびに、エア抜き用時間が短くなるように設定する構成を採用しているが、このような構成を採用しなくてもよい。
【００５６】
（４）上記第１および第２実施形態では、制御部４は、膨張タンク７への熱媒の補給を行われたことを検出することによって、多量状態を検出するように構成しているが、例えば、膨張タンク７の熱媒の貯留量が上限設定量以上となる状態や膨張タンク７から熱媒が漏れる状態を検出するセンサを設けて、制御部４は、そのセンサにて膨張タンク７の熱媒の貯留量が上限設定量以上となる状態や膨張タンク７から熱媒が漏れる状態を検出することによって、多量状態を検出するように構成してもよく、多量状態を検出する構成は適宜変更が可能である。
【００５７】
（５）上記第１および第２実施形態では、エア抜き用時間を４段階に設定可能に構成されているが、例えば、２段階や５段階以上など適宜変更が可能である。
【００５８】
（６）上記第１および第２実施形態では、熱源機３と端末１との設置条件として、熱源機３と端末１との設置位置が熱源機３よりも端末１の方が高くかつ端末１の設置台数が３台までの場合を示したが、使用者の用途や住居の広さなどによって、適宜変更が可能である。
【００５９】
（７）上記第１および第２実施形態では、バーナ９の燃焼により熱媒を加熱する構成を例示したが、電気ヒータなどその他の加熱手段を用いて熱媒を加熱することも可能であり、熱媒を加熱する構成については適宜変更が可能である。
【図面の簡単な説明】
【図１】熱媒供給設備の概略構成図
【図２】熱媒供給設備の制御ブロック図
【図３】制御部４の制御動作を示すフローチャート
【符号の説明】
１              端末
２              熱媒循環路
３              熱源機
４              制御手段
２２            エア抜き用時間変更設定手段
【図１】
2004293926.tif 000003
【図２】
2004293926.tif 000004
【図３】
2004293926.tif 000005